(57)【要約】【課題】チラシやパンフレット等の物品を保持する際、当該物品を注目され易いように保持することができる物品保持構造を提供する。【解決手段】物品保持構造１は、旅客用シートの背凭れの背面４と、この背面４に取り付けられた保持具５との間に物品を保持する構造である。また、物品保持構造１は、主に、Ａ４サイズのペーパー類を保持することを予定して設けられている。保持具５は、背面４に交差するとともに水平方向に延びた底板５１と、底板５１の長手方向両端部それぞれから上方に延びるとともに背面４に交差する一対の側板５３Ｌ，５３Ｒと、一対の側板５３Ｌ，５３Ｒそれぞれの上半部から互いに近付く方向に延びるとともに背面４と対向する一対の押さえ部５４Ｌ，５４Ｒと、を有している。一対の押さえ部５４Ｌ，５４Ｒ間は開放されており、何も設けられていない。【選択図】図２
2020044915.tif 000002
【特許請求の範囲】
【請求項１】
上下方向に延びた取付面と、当該取付面に取り付けられた保持具との間に物品を保持する物品保持構造であって、
前記保持具が、
前記取付面に交差するとともに水平方向に延びた底板と、
前記底板の長手方向両端部それぞれから上方に延びるとともに前記取付面に交差する一対の側板と、
前記一対の側板それぞれの上半部から互いに近付く方向に延びるとともに前記取付面と対向する一対の押さえ部と、を有し、
前記一対の押さえ部間が開放されている
ことを特徴とする物品保持構造。
【請求項２】
前記保持具が、前記底板から上方に延びるとともに前記取付面と対向する対向板部を有している
ことを特徴とする請求項１に記載の物品保持構造。
【請求項３】
前記底板の長手方向中央部に切欠き又は間隙が形成されている
ことを特徴とする請求項１又は２に記載の物品保持構造。
【請求項４】
前記保持具が、前記底板の長手方向中央部において左右２分割されている
ことを特徴とする請求項１〜３の何れか１項に記載の物品保持構造。
【請求項５】
請求項１〜４の何れか１項に記載の物品保持構造を備えたことを特徴とする旅客用シート。
【発明の詳細な説明】
【技術分野】
【０００１】
本発明は、取付面と当該取付面に取り付けられた保持具との間に物品を保持する物品保持構造、及び、該物品保持構造を備えた旅客用シートに関する。
【背景技術】
【０００２】
従来より、鉄道の有料特急車両や航空機などの客室においては、旅客用シートが進行方向に沿って配列されている。この種のシートとして、特許文献１には、背凭れの背面側に網袋から成るポケットが設けられたシートが開示されている。また、特許文献２には、背凭れクッションを支持する支持構造体に形成された中空部がポケットとして機能するシートが開示されている。
【先行技術文献】
【特許文献】
【０００３】
【特許文献１】特開２００３−２１０２７７号公報
【特許文献２】特開２０１２−２５０７０７号公報
【発明の概要】
【発明が解決しようとする課題】
【０００４】
上記旅客用シートのポケットには、チラシやパンフレットなどが差し込まれることがある。しかし、従来のポケット構造の場合、チラシやパンフレットの一部が隠れてしまうため、これらが注目され難いという問題があった。なお、この問題は、チラシやパンフレット等の物品が旅客用シート以外の場所に置かれる場合でも、同様に生じ得る問題である。
【０００５】
本発明は、上述した問題に鑑みてなされたものであり、チラシやパンフレット等の物品を保持する際、当該物品を注目され易いように保持することができる物品保持構造、及び、該物品保持構造を備えた旅客用シートを提供することを目的とする。
【課題を解決するための手段】
【０００６】
本発明の物品保持構造は、上下方向に延びた取付面と、当該取付面に取り付けられた保持具との間に物品を保持する物品保持構造であって、前記保持具が、前記取付面に交差するとともに水平方向に延びた底板と、前記底板の長手方向両端部それぞれから上方に延びるとともに前記取付面に交差する一対の側板と、前記一対の側板それぞれの上半部から互いに近付く方向に延びるとともに前記取付面と対向する一対の押さえ部と、を有し、前記一対の押さえ部間が開放されていることを特徴とするものである。
【０００７】
本発明の旅客用シートは、上記物品保持構造を備えたことを特徴とするものである。
【発明の効果】
【０００８】
本発明によれば、保持具が、取付面に交差するとともに水平方向に延びた底板と、前記底板の長手方向両端部それぞれから上方に延びるとともに前記取付面に交差する一対の側板と、前記一対の側板それぞれの上半部から互いに近付く方向に延びるとともに前記取付面と対向する一対の押さえ部と、を有し、前記一対の押さえ部間が開放されていることから、チラシやパンフレット等の物品を保持する際、当該物品の大部分を露出した状態で保持でき、この物品を注目され易いように保持することができる。
【図面の簡単な説明】
【０００９】
【図１】本発明の第１実施形態にかかる物品保持構造が適用された座席装置を示す図である。
【図２】図１の物品保持構造の拡大図である。
【図３】図２の分割保持具の正面図である。
【図４】図２の分割保持具の背面図である。
【図５】図２の分割保持具の平面図である。
【図６】図２の分割保持具の底面図である。
【図７】図２の分割保持具の左側面図である。
【図８】図２の分割保持具の右側面図である。
【図９】本発明の第２実施形態にかかる物品保持構造を示す図である。
【発明を実施するための形態】
【００１０】
本発明の第１実施形態にかかる「物品保持構造」及び「旅客用シート」を図１〜８を参照して説明する。
【００１１】
図１は、本発明の第１実施形態にかかる物品保持構造１が適用された座席装置１０を示す図である。この座席装置１０は、鉄道車両の客室内に装備されるものであり、台枠２に組み付けられた左右一対のシート（旅客用シート）３Ａ，３Ｂを備えている。これら一対のシート３Ａ，３Ｂは、ドリンクホルダ１２などの配置が異なっているが、基本構成は同じであるため、代表してシート３Ａの構成を説明する。
【００１２】
シート３Ａは、座部及び背凭れを備えたリクライニングシートであり、背凭れの背面４側に、物品保持構造１、背面テーブル１１、ドリンクホルダ１２、小物掛け１３等を備えている。また、物品保持構造１、背面テーブル１１、ドリンクホルダ１２、小物掛け１３は、後席着座者用に設けられたものである。
【００１３】
物品保持構造１は、「取付面」としての背凭れの背面４と、この背面４に取り付けられた保持具５とで構成されている。また、本例の物品保持構造１は、背面４と保持具５との間に、主に、Ａ４サイズのペーパー類を保持することを予定して設けられている。図１，２に示す例においては、背面４と保持具５との間に、Ａ４サイズのパンフレット（物品）６と、スマートフォン（物品）７と、が保持されている。
【００１４】
保持具５は、図２〜４に示すように、底板５１と、一対の側板５３Ｌ，５３Ｒと、一対の押さえ部５４Ｌ，５４Ｒと、一対の対向板部５５Ｌ，５５Ｒと、一対の前板５６Ｌ，５６Ｒと、４つの固定部５７，５８と、を有している。
【００１５】
底板５１は、取付面４に交差しているとともに水平方向に延びている。一対の側板５３Ｌ，５３Ｒは、底板５１の長手方向両端部それぞれから上方に延びるとともに取付面４に交差している。一対の押さえ部５４Ｌ，５４Ｒは、一対の側板５３Ｌ，５３Ｒそれぞれの上端部から互いに近付く方向に延びているとともに取付面４と対向している。一対の押さえ部５４Ｌ，５４Ｒ間は開放されており、何も設けられていない。
【００１６】
また、本例では、保持具５が、底板５１の長手方向中央部において左右２分割されている。すなわち、保持具５は、一対の分割保持具５Ｌ，５Ｒで構成されている。右側に配置される分割保持具５Ｒの構成は、図３〜８に示すとおりである。左側に配置される分割保持具５Ｌの構成は、分割保持具５Ｒの左右対称形状となっている。本例では、分割保持具５Ｌ，５Ｒが樹脂で構成されているが、分割保持具５Ｌ，５Ｒの材質は適宜変更可能である。
【００１７】
上述した底板５１は、分割保持具５Ｌに属する底板５１Ｌと、分割保持具５Ｒに属する底板５１Ｒとで構成されている。これら底板５１Ｌと底板５１Ｒとの間には間隙５２が形成されている。すなわち、底板５１の長手方向中央部には、間隙５２が形成されている。
【００１８】
上記対向板部５５Ｌは、分割保持具５Ｌに属しており、底板５１Ｌから上方に延びているとともに取付面４と対向している。上記対向板部５５Ｒは、分割保持具５Ｒに属しており、底板５１Ｒから上方に延びているとともに取付面４と対向している。一対の対向板部５５Ｌ，５５Ｒ間は開放されており、何も設けられていない。
【００１９】
上記前板５６Ｌは、押さえ部５４Ｌの基部（側板５３Ｌ側の部分）と、対向板部５５Ｌの基部（側板５３Ｌ側の部分）とを繋いでいる。また、前板５６Ｌは、取付面４と対向している。同様に、上記前板５６Ｒは、押さえ部５４Ｒの基部（側板５３Ｒ側の部分）と、対向板部５５Ｒの基部（側板５３Ｒ側の部分）とを繋いでいる。また、前板５６Ｒは、取付面４と対向している。一対の前板５６Ｌ，５６Ｒ間は開放されており、何も設けられていない。
【００２０】
一対の前板５６Ｌ，５６Ｒ間の間隔は、一対の押さえ部５４Ｌ，５４Ｒ間の間隔よりも大きい。また、一対の押さえ部５４Ｌ，５４Ｒ間の間隔は、一対の対向板部５５Ｌ，５５Ｒ間の間隔よりも大きい。
【００２１】
上記固定部５７は、背面４に重ねられてボルト固定される部分であり、ボルト挿通孔５７０が形成されている。図３，４に示すように、分割保持具５Ｒに属する固定部５７は、押さえ部５４Ｒと対向する位置に設けられている。図示は省略するが、分割保持具５Ｌに属する固定部５７は、押さえ部５４Ｌと対向する位置に設けられている。押さえ部５４Ｌ，５４Ｒには、工具挿入用の貫通孔５４０が形成されている。固定部５７を背面４にボルト固定する際は、ドライバ等の工具がこの貫通孔５４０に通される。
【００２２】
上記固定部５８は、固定部５７と同じく背面４に重ねられてボルト固定される部分であり、ボルト挿通孔５８０が形成されている。図３，４に示すように、分割保持具５Ｒに属する固定部５８は、対向板部５５Ｒと対向する位置に設けられている。図示は省略するが、分割保持具５Ｌに属する固定部５８は、対向板部５５Ｌと対向する位置に設けられている。対向板部５５Ｌ，５５Ｒには、工具挿入用の貫通孔５５０が形成されている。固定部５８を背面４にボルト固定する際は、ドライバ等の工具がこの貫通孔５５０に通される。
【００２３】
上記構成の物品保持構造１においてＡ４サイズのパンフレット６を保持する場合、図２に示すように、底板５１Ｌ，５１Ｒがパンフレット６の底辺に沿い、一対の押さえ部５４Ｌ，５４Ｒがパンフレット６の左上部分と右上部分を背面４との間に位置付けることで保持する。このように、物品保持構造１によれば、表紙の大部分を露出した状態でパンフレット６を保持でき、パンフレット６の注目度を高めることができる。
【００２４】
また、物品保持構造１においては、Ａ４サイズよりも小さいペーパー類や薄板状の物品を保持することもできる。例えば、前記物品の代表例としてスマートフォン７を保持する場合、図２に示すように、スマートフォン７の角を底板５１の間隙５２に嵌め込むことで保持することができる。
【００２５】
さらに、本例の座席装置１０は、シート３Ａ，３Ｂの下方に電気コンセント１４が設けられている。上述したスマートフォン７に充電用コード接続し、該コードを間隙５２から保持具５の下側に引き出して充電用コードのプラグを電気コンセント１４に差し込み、このスマートフォン７を物品保持構造１で保持した状態（図２）で充電を行うことも可能である。
【００２６】
このように、物品保持構造１によれば、表紙の大部分を露出した状態でパンフレット６を保持でき、パンフレット６の注目度を高めることができる。また、従来無かったデザイン性の高い保持具５により、パンフレット６を見栄え良く保持することができる。さらに、上記特許文献１のような網袋から成るポケットにパンフレット６等のペーパー類を差し込む場合、折れ等が生じることがあるが、本例においては、折れ等無く、容易に差し込むことができる。
【００２７】
また、物品保持構造１によれば、スマートフォン７等の小さな物品も、正面の大部分を露出した状態でパンフレット６と同時に保持することができる。このように、物品保持構造１によれば、物品の大部分を露出した状態で保持することができるため、利用者が物品保持構造１に私物を保持したまま立ち去ってしまうこと（忘れ物）も防止できる。
【００２８】
また、本例の保持具５は、４つの固定部５７，５８を背面４にボルト固定するだけで背面４に取り付けることができる。よって、上記特許文献１のような網袋から成るポケットと比較して、取り付け・交換作業を容易にすることができる。さらに、本例の保持具５は、簡易な構成であることから、コスト低減が可能である。
【００２９】
さらに、本例の保持具５は、一対の分割保持具５Ｌ，５Ｒで構成されているので、保持する物品のサイズに応じて、分割保持具５Ｌ，５Ｒ間の間隔を適宜設定することができる。
【００３０】
本発明の第２実施形態にかかる「物品保持構造」を図９を参照して説明する。図９において、前述した第１実施形態と同一構成部分には同一符号を付して説明を省略する。
【００３１】
本例の物品保持構造１０１は、背凭れの背面４と、この背面４に取り付けられた保持具１０５とで構成されている。第１実施形態の保持具５は２部品で構成されていたが、本例の保持具１０５は１部品で構成されている。
【００３２】
この保持具１０５は、一枚の板である底板１５１を有し、この底板１５１の長手方向中央部に切欠き１５２が形成されている。この切欠き１５２は、第１実施形態の間隙５２と同じ使い方ができる。
【００３３】
また、保持具１０５は、底板１５１から上方に延びるとともに取付面４と対向する対向板部１５５を有している。第１実施形態の保持具５は、一対の対向板部５５Ｌ，５５Ｒを有し、一対の対向板部５５Ｌ，５５Ｒ間は開放されていたが、本例の対向板部１５５は、一対の対向板部５５Ｌ，５５Ｒ間が繋がった形状である。すなわち、本例の対向板部１５５は、一対の対向板部５５Ｌ，５５Ｒと、対向板部５５Ｌ，５５Ｒ間を繋いだ中間部５５Ｃと、で構成されている。
【００３４】
本例の物品保持構造１０１によれば、第１実施形態の物品保持構造１と同様に、表紙の大部分を露出した状態でパンフレット６（図２を参照。）を保持でき、パンフレット６の注目度を高めることができる。また、スマートフォン７（図２を参照。）等の小さな物品も、正面の大部分を露出した状態でパンフレット６と同時に保持することができる。
【００３５】
さらに、上述した実施形態では、物品保持構造が旅客用シートに適用された例について説明したが、本発明の物品保持構造は、建物の壁や乗物の壁、構造物の側面などに適用されても良い。
【００３６】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３７】
１，１０１  物品保持構造
３Ａ，３Ｂ  シート（旅客用シート）
４  背面（取付面）
５，１０５  保持具
６  パンフレット（物品）
７  スマートフォン（物品）
５１，１５１  底板
５３Ｌ，５３Ｒ  側板
５４Ｌ，５４Ｒ  押さえ部
【図１】
2020044915.tif 000003
【図２】
2020044915.tif 000004
【図３】
2020044915.tif 000005
【図４】
2020044915.tif 000006
【図５】
2020044915.tif 000007
【図６】
2020044915.tif 000008
【図７】
2020044915.tif 000009
【図８】
2020044915.tif 000010
【図９】
2020044915.tif 000011